(57)【要約】【課題】ユーザは、希望する撮影条件で撮影することを目的として、パラメータの変動範囲を制限する制限値、例えばシャッタ速度の下限値、ＩＳＯ感度の上限値を予め設定することができる。しかしながら、パラメータの現在値を表示する表示画面には制限値が表示されないことから、ユーザは、パラメータの現在値が制限値に達したのか否かを判断することができない。【解決手段】表示制御装置は、電子機器の処理に用いられるパラメータの変動範囲を制限する制限値を、ユーザから受け付ける受付部と、制限値をパラメータの現在の設定値とともに表示部に表示させる表示制御部とを備える。【選択図】図５
2013115514.tif 000002
【特許請求の範囲】
【請求項１】
電子機器の処理に用いられるパラメータの変動範囲を制限する制限値を、ユーザから受け付ける受付部と、
前記制限値を、前記パラメータの現在の設定値とともに表示部に表示させる表示制御部と
を備える表示制御装置。
【請求項２】
前記表示制御部は、制限されていない前記変動範囲を、前記制限値および前記現在の設定値とともに前記表示部に表示させる請求項１に記載の表示制御装置。
【請求項３】
前記受付部は、前記制限値および前記現在の設定値が前記表示部に表示されているときに、前記制限値の変更指示をユーザから受け付ける請求項１または２に記載の表示制御装置。
【請求項４】
前記表示制御部は、前記パラメータを変更するための操作部材の形状を模したオブジェクトを前記表示部に表示させるとともに、前記制限値および前記設定値を前記オブジェクトに関連付けて前記表示部に表示させる請求項１から３のいずれか１項に記載の表示制御装置。
【請求項５】
前記表示制御部は、前記パラメータが前記操作部材によって変更可能か否かに応じて前記オブジェクトの表示態様を異ならせる請求項４に記載の表示制御装置。
【請求項６】
前記表示制御部は、制限されていない前記変動範囲を円弧状に配置するとともに、前記制限値を示す指標および前記現在の設定値を示す指標を前記変動範囲に関連付けて配置する請求項１から５のいずれか１項に記載の表示制御装置。
【請求項７】
前記表示制御部は、並列する２つのバーを前記表示部に表示させるとともに、一方のバーに前記現在の設定値を示し、他方のバーに前記制限値を示す請求項１から５のいずれか１項に記載の表示制御装置。
【請求項８】
前記受付部は、前記制限値を受け付けるための設定画面が前記表示部に表示されている場合に、前記制限値を受け付け、
前記表示制御部は、前記現在の設定値を表示する情報画面を前記表示部に表示させる場合に、前記制限値を前記現在の設定値とともに表示させる請求項１から７のいずれか１項に記載の表示制御装置。
【請求項９】
前記表示制御部は、前記制限値によって制限された前記変動範囲である制限範囲の表示態様と、前記制限範囲外の表示態様とを異ならせる請求項１から８のいずれか１項に記載の表示制御装置。
【請求項１０】
前記表示制御部は、前記制限値が上限値である場合と下限値である場合とで前記制限値の表示態様を異ならせる請求項１から９のいずれか１項に記載の表示制御装置。
【請求項１１】
前記電子機器は、撮像装置である請求項１から１０のいずれか１項に記載の表示制御装置。
【請求項１２】
前記撮像装置の処理に用いられる複数の前記パラメータは、シャッタ速度および前記撮像装置に設けられた撮像素子のＩＳＯ感度を含み、
前記受付部は、
前記シャッタ速度の下限値を、前記シャッタ速度の前記制限値として受け付け、
前記ＩＳＯ感度の上限値を、前記ＩＳＯ感度の前記制限値として受け付け、
前記表示制御部は、前記シャッタ速度の現在の設定値および前記下限値、並びに前記ＩＳＯ感度の現在の設定値および前記上限値を１つの画面で前記表示部に表示させる請求項１１に記載の表示制御装置。
【請求項１３】
ユーザから受け付けた、電子機器の処理に用いられるパラメータの変動範囲を制限する制限値を取得する取得ステップと、
前記制限値を、前記パラメータの現在の設定値とともに表示部に表示させる表示制御ステップと
をコンピュータに実行させる表示制御プログラム。
【発明の詳細な説明】
【技術分野】
【０００１】
本発明は、表示制御装置および表示制御プログラムに関する。
【背景技術】
【０００２】
シャッタ速度、絞り値、ＩＳＯ感度等の撮影処理に用いられるパラメータの現在値を、円形等の表示態様で表示部に表示させるカメラが知られている。
［先行技術文献］
［特許文献］
［特許文献１］特開２００５−３４８１９６号公報
【発明の概要】
【発明が解決しようとする課題】
【０００３】
ユーザは、希望する撮影条件で撮影することを目的として、パラメータの変動範囲を制限する制限値、例えばシャッタ速度の下限値、ＩＳＯ感度の上限値を予め設定することができる。しかしながら、パラメータの現在値を表示する表示画面には制限値が表示されないことから、ユーザは、パラメータの現在値が制限値に達したのか否かを判断することができない。
【課題を解決するための手段】
【０００４】
本発明の第１の態様における表示制御装置は、電子機器の処理に用いられるパラメータの変動範囲を制限する制限値を、ユーザから受け付ける受付部と、制限値をパラメータの現在の設定値とともに表示部に表示させる表示制御部とを備える。
【０００５】
また、本発明の第２の態様における表示制御プログラムは、電子機器の処理に用いられるパラメータの変動範囲を制限する制限値を、ユーザから受け付ける受付ステップと、制限値をパラメータの現在の設定値とともに表示部に表示させる表示制御ステップとをコンピュータに実行させる。
【０００６】
なお、上記の発明の概要は、本発明の必要な特徴の全てを列挙したものではない。また、これらの特徴群のサブコンビネーションもまた、発明となりうる。
【図面の簡単な説明】
【０００７】
【図１】本実施形態に係るカメラの正面斜視図である。
【図２】本実施形態に係るカメラ本体の背面図である。
【図３】本実施形態に係るカメラのシステム構成図である。
【図４】感度自動制御の設定画面を説明する図である。
【図５】本実施形態の情報画面を説明する図である。
【図６】オブジェクトの表示遷移を説明する図である。
【図７】シャッタ速度の下限値の変更処理を説明する図である。
【図８】本実施形態の情報画面の表示処理フロー図である。
【図９】マニュアルモードにおけるオブジェクトの表示遷移を説明する図である。
【図１０】撮影モードの変更に応じたオブジェクトの表示遷移を説明する図である。
【図１１】第１の変形例に係る情報画面を説明する図である。
【図１２】第１の変形例に係る情報画面におけるオブジェクトの他の表示態様を説明する図である。
【図１３】第２の変形例に係る情報画面を説明する図である。
【図１４】第３の変形例に係る情報画面を説明する図である。
【発明を実施するための形態】
【０００８】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００９】
図１は、本実施形態に係る撮像装置としてのカメラ１０の正面斜視図である。ここでは、レンズ交換式カメラを例に説明する。カメラ１０は、カメラ本体３０に交換レンズ２０が装着されて構成される。カメラ本体３０には、焦点距離、開放Ｆ値等の異なる複数の交換レンズ２０が交換可能に装着される。交換レンズ２０は、その鏡筒内に、光軸１１に沿って配列された光学系を備え、光軸１１に沿って入射する被写体光束をカメラ本体３０へ導く。光学系には、フォーカスレンズ、ズームレンズが含まれる。なお、図示するように、光軸１１に平行な方向である前後方向をｚ軸方向とする。また、ｚ軸に直交し、かつカメラ本体３０の長手方向と平行な方向である左右方向をｘ軸方向とし、ｚ軸およびｘ軸に直交する方向である上下方向をｙ軸方向とする。
【００１０】
図１に示すように、カメラ本体３０の上面には、ユーザから各種入力を受け付ける受付部としての役割を担う複数の操作部材が設けられている。具体的には、撮影指示を受け付けるレリーズボタン３１、絞り値の変更に用いられる絞りボタン３２、各種情報を示す情報画面の表示指示を受け付ける情報表示ボタン３３、撮影モードの切り替えを受け付ける撮影モードダイヤル３４が配置されている。
【００１１】
図２は、本実施形態に係るカメラ本体３０の背面図である。カメラ本体３０の背面には、液晶モニタ等の表示部３５が設けられている。また、カメラ本体３０の背面においても、上面と同様に、ユーザから各種入力を受け付ける受付部としての役割を担う複数の操作部材が設けられている。具体的には、シャッタ速度、絞り値を調整するためのコマンドダイヤル３６、表示部３５に表示されたカーソル等の移動に用いられる十字キー３７、カーソルで選択された項目の機能等を実行させる決定ボタン３８が配置されている。また、様々な設定項目を表示部３５に表示させるメニューボタン３９、ユーザによって予め割り当てられた機能を指示するための機能ボタン４０が配置されている。
【００１２】
図３は、本実施形態に係るカメラ１０のシステム構成図である。被写体像は、光軸１１に沿って光学系を透過し、撮像素子１３３の受光面に結像する。光学系は、ズームレンズ１２１、フォーカスレンズ１２２、絞り１２３等を含む。光学系は、レンズシステム制御部１２０によって制御される。例えば、レンズシステム制御部１２０は、レンズ駆動回路１２４を介してズームレンズ１２１を移動させるモータおよびフォーカスレンズ１２２を移動させるモータを制御する。また、レンズシステム制御部１２０は、絞り駆動回路１２５を介して絞り１２３を駆動する。また、レンズシステム制御部１２０は、レンズマウント接点１２６およびカメラマウント接点１３１を介してカメラシステム制御部１３０と接続され、相互に通信を実行しつつ協働して交換レンズ２０とカメラ本体３０を制御する。なお、レンズマウント接点１２６およびカメラマウント接点１３１は、それぞれ上述の交換レンズ２０側の通信端子およびカメラ本体３０側の通信端子を含む。
【００１３】
撮像素子１３３は、光学系を透過して入射する被写体像である光学像を光電変換する素子であり、例えば、ＣＣＤ、ＣＭＯＳセンサが用いられる。シャッタ１３４は、撮像素子１３３に対して撮影時のみ光が入射するように、撮影時の露光時間中のみ開き、それ以外の時は光をさえぎる。撮像素子１３３で光電変換された被写体像は、Ａ／Ｄ変換器１３５でアナログ信号からデジタル信号に変換される。デジタル信号に変換された被写体像は、画像データとして順次処理される。
【００１４】
Ａ／Ｄ変換器１３５によりデジタル信号に変換された画像データは、画像処理部１３６へ引き渡される。画像処理部１３６は、撮影モード、ユーザからの指示に従って、画像データをＪＰＥＧファイル等の規格化された画像フォーマットの画像データに変換する。メモリ制御部１３７は、いかなる作業にどれくらいのメモリ容量を割り当てるかを制御する。内部メモリ１３８は、高速で読み書きのできるランダムアクセスメモリであり、例えばＤＲＡＭ、ＳＲＡＭなどが用いられる。内部メモリ１３８は、画像処理部１３６が行う処理において、ワークメモリとしての役割を担う。画像処理部１３６によって処理された画像データは、メモリ制御部１３７の制御により、内部メモリ１３８から外部機器ＩＦ１４０を介して、記録媒体の記録部１４１に記録される。記録媒体は、フラッシュメモリ等により構成される、カメラ本体３０に対して着脱可能な不揮発性メモリである。
【００１５】
画像処理部１３６で処理された画像データは、記録用に処理される画像データに並行して、表示用の画像データを生成する。生成された表示用の画像データは、表示制御部１３９の制御に従って、表示部３５に表示される。記録の有無に関わらず、逐次表示用の画像データを生成して表示部３５に表示すれば、電子ファインダ機能としてライブビューを実現できる。また、画像の表示と共に、もしくは画像を表示することなく、カメラ１０の各種設定に関する様々なメニュー項目も、表示制御部１３９の制御により表示部３５に表示することができる。
【００１６】
カメラ１０は、上記の画像処理における各々の要素も含めて、カメラシステム制御部１３０により直接的または間接的に制御される。カメラシステム制御部１３０は、システムメモリ１３２を備える。システムメモリ１３２は、電気的に消去・記録可能な不揮発性メモリであり、例えばＥＥＰＲＯＭ（登録商標）等により構成される。システムメモリ１３２は、カメラ１０の動作時に必要な定数、変数、プログラム等を、カメラ１０の非動作時にも失われないように記録している。カメラ本体３０は、電源１４３から電力供給を受ける。電源制御部１４２は、電源１４３と通信して残電力の検出、電力供給の監視、給電を行う。電源１４３は、２次電池、家庭用ＡＣ電源等により構成される。また、交換レンズ２０への給電は、レンズマウント接点１２６、カメラマウント接点１３１を介して行われる。
【００１７】
操作検出部１４４は、上述した操作部材が操作されたことを検出してカメラシステム制御部１３０へ検出結果を出力する。カメラシステム制御部１３０は、検出された操作に応じた動作を実行する。具体的には、カメラシステム制御部１３０は、レリーズボタン３１の１段階目の押下げであるＳＷ１のオンを検知することにより撮影準備動作であるＡＦ等を実行する。そして、カメラシステム制御部１３０は、レリーズボタン３１の２段階目の押下げであるＳＷ２のオンを検知することにより撮像素子１３３による被写体像の取得動作を実行する。
【００１８】
測光センサ１４５は、ファインダ近傍に設けられ、被写体の明るさを検知する。露出制御部１４６は、測光センサ１４５の出力に応じて適正露出値を算出する。そして、露出制御部１４６は、ユーザが撮影モードダイヤル３４で選択した撮影モードに応じて、システムメモリ１３２からプログラム線図を取得し、プログラム線図および適正露出値に応じて適性絞り値、シャッタ速度、ＩＳＯ感度を決定する。
【００１９】
露出制御部１４６は、レリーズボタン３１のＳＷ２のオンに応じて、適正絞り値に制絞り込む御信号をレンズシステム制御部１２０へ出力するとともに、決定したシャッタ速度で駆動させる制御信号をシャッタ１３４へ出力する。また、露出制御部１４６は、決定したＩＳＯ感度に対応する読み出しゲインを設定する制御信号を撮像素子１３３へ出力する。
【００２０】
図４は、感度自動制御の設定画面を説明する図である。感度自動制御とは、ユーザが予め設定したＩＳＯ感度では適正露出が得られない場合にＩＳＯ感度を自動で変更する制御であり、露出制御部１４６によって実行される。ユーザがメニューボタン３９を押してメニュー画面を表示部３５に表示させ、十字キー３７および決定ボタン３８を操作してメニュー画面の「感度自動制御」の項目を指定すると、図４（ａ）に示すような感度自動制御の設定画面が表示部３５に表示される。ユーザがこの感度自動制御の設定画面で「する」の項目をカーソル２００で指定すると、感度自動制御がオンに設定され、「制御上限感度」の項目および「低速限界設定」の項目が選択可能となる。
【００２１】
ユーザが十字キー３７および決定ボタン３８を操作して「制限上限感度」の項目をカーソル２００で指定すると、図４（ｂ）に示すような制限上限感度の設定画面が表示部３５に表示される。制御上限感度の設定画面では、感度自動制御を実行する場合のＩＳＯ感度の上限値を設定することができる。本実施形態のカメラ１０では、上限値が設定されていない場合のＩＳＯ感度の初期変動範囲は、１００から６４００である。ＩＳＯ感度の初期変動範囲は、撮像素子１３３の仕様等に応じて製造時に予め規定されている。そして、ユーザは、ＩＳＯ感度の初期変動範囲の離散的な値、例えば図４（ｂ）に示す４００，８００，１６００，３２００，６４００のいずれかをＩＳＯ感度の上限値に設定することができる。カメラシステム制御部１３０は、ユーザが設定したＩＳＯ感度の上限値をシステムメモリ１３２に記録する。露出制御部１４６は、ＩＳＯ感度の上限値が設定された場合に、当該上限値を超えないようにＩＳＯ感度を制御する。
【００２２】
ユーザが十字キー３７および決定ボタン３８を操作して「低速限界設定」の項目をカーソル２００で指定すると、図４（ｃ）に示すような低速限定設定の設定画面が表示部３５に表示される。低速限界設定の設定画面では、感度自動制御を開始するシャッタ速度、すなわちシャッタ速度の下限値を設定することができる。本実施形態のカメラ１０では、下限値が設定されていない場合のシャッタ速度の初期変動範囲は、３０秒から１／４０００秒である。ＩＳＯ感度の初期変動範囲は、シャッタ１３４の仕様等に応じて製造時に予め規定されている。そして、ユーザは、このシャッタ速度の初期変動範囲の離散的な値、例えば図４（ｃ）に示す１／６０秒，１／３０秒，１／１５秒，１／８秒，１／４秒のいずれかを下限値に設定することができる。カメラシステム制御部１３０は、ユーザが設定したシャッタ速度の下限値をシステムメモリ１３２に記録する。露出制御部１４６は、シャッタ速度の下限値が設定された場合に、当該下限値を下回らないようにシャッタ速度を制御する。
【００２３】
図５は、本実施形態の情報画面３００を説明する図である。ユーザが情報表示ボタンを押すと、情報画面３００は表示部３５に表示される。情報画面３００は、カメラ１０の撮影処理に用いられる各種パラメータの情報を含む。なお、本実施形態において、図４を用いて説明した感度自動制御の設定画面で感度自動制御がオンに設定されており、ＩＳＯ感度の上限値、シャッタ速度の下限値は、それぞれ３２００、１／１５秒に設定されている。また、本実施形態における撮影モードとして、シャッタ速度および絞り値をユーザが手動で設定するマニュアルモードが選択されており、情報画面３００の左上には、撮影モード表示３０１として、マニュアルモードを示す「Ｍ」が表示されている。
【００２４】
図５に示すとおり、表示制御部１３９は、シャッタ速度の設定値を示すシャッタ速度オブジェクト３１０、絞り値の設定値を示す絞り値オブジェクト３２０、ＩＳＯ感度の設定値を示すＩＳＯ感度オブジェクト３３０を情報画面３００に配置する。シャッタ速度オブジェクト３１０の形状は、シャッタ速度を変更する操作部材であるコマンドダイヤル３６の形状を模している。シャッタ速度オブジェクト３１０は、リング形状の外部領域３１１および外部領域３１１に囲まれた円形状の内部領域３１２で構成される。外部領域３１１には、シャッタ速度の初期変動範囲の値が円弧状に配置されている。
【００２５】
内部領域３１２の中央には、シャッタ速度の現在の設定値が表示されている。また、内部領域３１２には、シャッタ速度の現在の設定値を示す設定値指標３１３、ユーザが設定したシャッタ速度の下限値を示す下限値指標３１４が、外部領域３１１に表示されているシャッタ速度の初期変動範囲に関連付けて配置されている。具体的には、設定値指標３１３は、外部領域３１１に表示されているシャッタ速度の初期変動範囲における現在の設定値を指し示すように配置されている。同様に、下限値指標３１４は、外部領域３１１に表示されているシャッタ速度の初期変動範囲における下限値を指し示すように配置されている。
【００２６】
絞り値オブジェクト３２０は、絞り羽根の模様が施されたリング形状の絞り羽根領域３２１および絞り羽根領域３２１に囲まれた円形状の開口領域３２２で構成される。絞り値オブジェクト３２０の形状は、絞り値に応じて動作を実行する動作部材である絞り１２３の形状を模している。絞り値オブジェクト３２０の中央には、絞り値の現在の設定値が表示されている。開口領域３２２の大きさは、絞り値の現在の設定値に対応している。
【００２７】
ＩＳＯ感度オブジェクト３３０は、リング形状の外部領域３３１および外部領域３３１に囲まれた円形状の内部領域３３２で構成される。外部領域３３１には、ＩＳＯ感度の初期変動範囲の値が円弧状に配置されている。内部領域３３２の中央には、ＩＳＯ感度の現在の設定値が表示されている。なお、露出制御部１４６が感度自動制御を実行した場合には、表示制御部１３９は、露出制御部１４６が直近で演算したＩＳＯ感度の値を現在の設定値として表示する。
【００２８】
また、内部領域３３２には、ＩＳＯ感度の現在の設定値を示す設定値指標３３３、ユーザが設定したＩＳＯ感度の上限値を示す上限値指標３３４が、外部領域３３１に表示されているＩＳＯ感度の初期変動範囲に関連付けて配置されている。具体的には、設定値指標３３３は、外部領域３３１に表示されているＩＳＯ感度の初期変動範囲における現在の設定値を指し示すように配置されている。同様に、上限値指標３３４は、外部領域３３１に表示されているＩＳＯ感度の初期変動範囲における上限値を指し示すように配置されている。
【００２９】
上述のように、制限値であるシャッタ速度の下限値、ＩＳＯ感度の上限値を、シャッタ速度、ＩＳＯ感度の現在の設定値とともに表示部３５に表示させることにより、ユーザは、シャッタ速度、ＩＳＯ感度が制限値に達したのか否かを容易に判断することができる。また、制限値によって制限されていないシャッタ速度、ＩＳＯ感度の初期変動範囲もあわせて表示部３５に表示させることにより、ユーザは、シャッタ速度、ＩＳＯ感度の現在の設定値と制限値との差の大小を容易に把握できる。
【００３０】
図６は、オブジェクトの表示遷移を説明する図である。まず、シャッタ速度オブジェクト３１０の表示遷移について説明する。ユーザがコマンドダイヤル３６を時計回りに回転させてシャッタ速度を１／１０００秒から１／５００秒に変更すると、表示制御部１３９は、図６（ａ）に示すようにシャッタ速度オブジェクト３１０の表示を変更する。具体的には、表示制御部１３９は、外部領域３１１において１／５００秒を示す「５００」を設定値指標３１３が指し示すように、設定値指標３１３の表示を固定したまま外部領域３１１を時計回りに移動させる。また、表示制御部１３９は、外部領域３１１の移動にあわせて下限値指標３１４も移動させる。
【００３１】
ユーザがコマンドダイヤル３６をさらに時計回りに回転させると、シャッタ速度は低速側に変更され、表示制御部１３９は、外部領域３１１および下限値指標３１４を時計回りに移動させる。そして、シャッタ速度が下限値１／１５秒に達すると、設定値指標３１３および下限値指標３１４は、図６（ａ）に示すように、外部領域３１１において１／１５秒を示す「１５」を指し示す位置で対向する。したがって、ユーザは、設定値指標３１３と下限値指標３１４の位置関係から、シャッタ速度が下限値に達したか否かを容易に判断できる。なお、シャッタ速度が下限値に達した場合に、表示制御部１３９は、現在の設定値の表示態様、例えば色、透明度を、下限値に達する前の表示態様と異ならせてもよい。このようにシャッタ速度が下限値に達した場合の表示態様を達する前の表示態様と異ならせることにより、ユーザはシャッタ速度が下限値に達したか否かを容易に判断できる。
【００３２】
なお、シャッタ速度が下限値に達した後にユーザがコマンドダイヤル３６をさらに時計回りに回転させても、シャッタ速度は下限値に維持される。また、ユーザがコマンドダイヤル３６を反時計回りに回転させると、シャッタ速度は高速側に変更され、表示制御部１３９は、外部領域３１１および下限値指標３１４を反時計回りに移動させる。
【００３３】
次に、絞り値オブジェクト３２０の表示遷移について説明する。ユーザが絞りボタン３２を押しながらコマンドダイヤル３６を時計回りに回転させて絞り値を５．６から２．８に変更すると、表示制御部１３９は、図６（ｂ）に示すように絞り値オブジェクト３２０の表示を変更する。具体的には、表示制御部１３９は、開口領域３２２を絞り値の変更に応じて拡大するとともに絞り羽根領域３２１を縮小する。
【００３４】
ユーザが絞りボタン３２を押しながらコマンドダイヤル３６をさらに時計回りに回転させると、絞り値の設定値は予め定められた開放絞り値に達するまで開放側に変更され、表示制御部１３９は、開口領域３２２を拡大するとともに絞り羽根領域３２１を縮小する。一方、ユーザが絞りボタン３２を押しながらコマンドダイヤル３６を反時計回りに回転させると、絞り値が最小絞り値に達するまで小絞り側に変更され、表示制御部１３９は、開口領域３２２を縮小するとともに絞り羽根領域３２１を拡大する。
【００３５】
次に、ＩＳＯ感度オブジェクト３３０の表示遷移について説明する。感度自動制御によってＩＳＯ感度が４００から８００に変更されると、表示制御部１３９は、図６（ｃ）に示すようにＩＳＯ感度オブジェクト３３０の表示を変更する。具体的には、表示制御部１３９は、外部領域３３１の「８００」を設定値指標３３３が指し示すように、設定値指標３３３の表示を固定したまま外部領域３３１を反時計回りに移動させる。また、表示制御部１３９は、外部領域３３１の移動にあわせて上限値指標３３４も移動させる。
【００３６】
感度自動制御によってＩＳＯ感度が大きくなると、表示制御部１３９は、外部領域３３１および上限値指標３３４を反時計回りに移動させる。そして、ＩＳＯ感度が上限値３２００に達すると、設定値指標３３３および上限値指標３３４は、図６（ｃ）に示すように、外部領域３３１の「３２００」を指し示す位置で対向する。したがって、ユーザは、設定値指標３３３と上限値指標３３４の位置関係から、ＩＳＯ感度が上限値に達したか否かを容易に判断できる。なお、ＩＳＯ感度が上限値に達した場合に、表示制御部１３９は、現在の設定値の表示態様、例えば色、透明度を、上限値に達する前の表示態様と異ならせる。このようにＩＳＯ感度が上限値に達した場合の表示態様を達する前の表示態様と異ならせることにより、ユーザはＩＳＯ感度が上限値に達したか否かを容易に判断できる。なお、感度自動制御によってＩＳＯ感度が小さくなると、表示制御部１３９は、外部領域３３１および上限値指標３３４を時計回りに移動させる。
【００３７】
ユーザは、情報画面３００の表示中に、シャッタ速度の下限値、ＩＳＯ感度の上限値を変更したい場合がある。その場合に、本実施形態に係るカメラ１０では、図４に示す感度自動制御の設定画面に移行せず、情報画面３００の表示を維持したままシャッタ速度の下限値、ＩＳＯ感度の上限値を変更することができる。以下に情報画面３００の表示中におけるシャッタ速度の下限値、ＩＳＯ感度の上限値の変更処理について説明する。
【００３８】
図７は、シャッタ速度の下限値の変更処理を説明する図である。図６（ａ）を用いて説明したように、ユーザがコマンドダイヤル３６を時計回りに回転させてシャッタ速度が下限値１／１５秒に達すると、設定値指標３１３および下限値指標３１４は、外部領域３１１において１／１５秒を示す「１５」を指し示す位置で対向する。この状態でユーザが機能ボタン４０を押しながらコマンドダイヤル３６を時計回りに回転させると、カメラシステム制御部１３０は、シャッタ速度の設定値および下限値を１／８秒へ変更する。そして、表示制御部１３９は、外部領域３１１において１／８秒を示す「８」を指し示す位置で設定値指標３１３および下限値指標３１４が対向するように、設定値指標３１３および下限値指標３１４を固定したまま外部領域３１１を時計回りに移動させる。
【００３９】
ユーザが機能ボタン４０を押しながらコマンドダイヤル３６をさらに時計回りに回転させると、シャッタ速度の設定値および下限値は低速側に変更され、表示制御部１３９は、外部領域３１１を時計回りに移動させる。図７に示すようにシャッタ速度の設定値および下限値が１／２秒になった状態で機能ボタン４０の押下を止めると、カメラシステム制御部１３０は、シャッタ速度の下限値を１／２秒に設定する。なお、ユーザが機能ボタン４０を押しながらコマンドダイヤル３６を反時計回りに回転させると、シャッタ速度の設定値および下限値は高速側に変更され、表示制御部１３９は、外部領域３１１を反時計回りに移動させる。
【００４０】
ＩＳＯ感度の上限値の変更処理には、十字キー３７および機能ボタン４０が用いられる。具体的には、ユーザが機能ボタン４０を押しながら十字キー３７の上ボタンを押すと、カメラシステム制御部１３０は、ＩＳＯ感度の上限値を大きくする。一方、ユーザが機能ボタン４０を押しながら十字キー３７の下ボタンを押すと、カメラシステム制御部１３０は、ＩＳＯ感度の上限値を小さくする。なお、ＩＳＯ感度の上限値の変更処理においては、ＩＳＯ感度の現在の設定値を変更しない。
【００４１】
図８は、本実施形態の情報画面３００の表示処理フロー図である。本実施形態において、表示制御部１３９は、カメラシステム制御部１３０と協働して本フローを実行する。本フローは、カメラシステム制御部１３０が情報表示ボタン３３のオン操作を検知した場合に開始される。ステップＳ１０１では、カメラシステム制御部１３０は、撮影処理に用いられるパラメータの制限値である上述のシャッタ速度の下限値、ＩＳＯ感度の上限値を、システムメモリ１３２から取得する。ステップＳ１０２では、表示制御部１３９は、図５で示される情報画面３００を表示部３５に表示させる。
【００４２】
ステップＳ１０３では、カメラシステム制御部１３０は、情報画面３００に含まれるパラメータの設定値が変更されたか否かを判断する。カメラシステム制御部１３０は、パラメータの設定値が変更されたと判断した場合にはステップＳ１０４へ移行し、パラメータの設定値が変更されていないと判断した場合にはステップＳ１０８へ移行する。ステップＳ１０４では、表示制御部１３９は、図６を用いて説明したように、設定値が変更されたパラメータの表示を変更して情報画面３００を更新する。
【００４３】
ステップＳ１０５では、図７を用いて説明したように、カメラシステム制御部１３０は、シャッタ速度の下限値、ＩＳＯ感度の上限値の変更指示をユーザから受け付けたか否かを判断する。カメラシステム制御部１３０は、変更指示を受け付けたと判断した場合にはステップＳ１０６へ移行し、変更指示を受け付けていないと判断した場合にはステップＳ１０８へ移行する。ステップＳ１０６では、カメラシステム制御部１３０は、図７を用いて説明したように、シャッタ速度の設定値および下限値、若しくはＩＳＯ感度の上限値を変更する。なお、カメラシステム制御部１３０は、変更後のシャッタ速度の下限値、ＩＳＯ感度の上限値をシステムメモリ１３２に記録する。ステップＳ１０７では、表示制御部１３９は、設定値、制限値が変更されたパラメータの表示を変更して情報画面３００を更新する。
【００４４】
ステップＳ１０８では、カメラシステム制御部１３０は、情報画面３００の表示を終了するか否かを判断する。例えば、カメラシステム制御部１３０は、メニューボタン３９等が押されて他の画面に遷移する場合、カメラ１０の電源のオフ操作を検知した場合に、情報画面３００の表示を終了すると判断する。カメラシステム制御部１３０は、情報画面３００の表示を終了しないと判断した場合にはステップＳ１０３へ戻り、情報画面３００の表示を終了すると判断した場合には本フローを終了する。
【００４５】
本実施形態では、マニュアルモードにおいて、コマンドダイヤル３６でシャッタ速度および絞り値のいずれか一方が変更される。具体的には、上述したように、ユーザが絞りボタン３２を押さずにコマンドダイヤル３６を回転させると、シャッタ速度が変更され、ユーザが絞りボタン３２を押しながらコマンドダイヤル３６を回転させると、絞り値が変更される。そこで、表示制御部１３９は、シャッタ速度および絞り値のいずれがコマンドダイヤル３６の操作対象であるか判別可能な表示態様で、シャッタ速度オブジェクト３１０および絞り値オブジェクト３２０を情報画面３００に表示してもよい。
【００４６】
また、撮影モードに応じて、コマンドダイヤル３６の操作対象が変更される。そこで、表示制御部１３９は、撮影モードに応じた表示態様で、シャッタ速度オブジェクト３１０および絞り値オブジェクト３２０を情報画面３００に表示してもよい。以下にシャッタ速度オブジェクト３１０および絞り値オブジェクト３２０の表示態様の変形例について説明する。
【００４７】
図９は、マニュアルモードにおけるオブジェクトの表示遷移を説明する図である。絞り値オブジェクト３２０の形状は、シャッタ速度オブジェクト３１０と同様に、コマンドダイヤル３６の形状を模している。表示制御部１３９は、絞りボタン３２が押されていない場合には、図９（ａ）で示すように操作対象でない絞り値オブジェクト３２０を点線で表示部３５に表示させる。一方、表示制御部１３９は、絞りボタン３２が押されている場合には、図９（ｂ）で示すように操作対象でないシャッタ速度オブジェクト３１０を点線で表示部３５に表示させる。このように操作対象のオブジェクトの表示態様と操作対象でないオブジェクトの表示態様とを異ならせることにより、ユーザは操作対象のパラメータを容易に判断できる。なお、操作対象でないオブジェクトの表示態様は、点線に限らず、操作対象のオブジェクトより目立たない表示態様、例えば半透過状態であればよい。
【００４８】
図１０は、撮影モードの変更に応じたオブジェクトの表示遷移を説明する図である。本実施形態において、ユーザが撮影モードダイヤル３４を時計回りに回転させると、マニュアルモード（Ｍ）、絞り優先モード（Ａ）、シャッタ優先モード（Ｓ）、プログラムモード（Ｐ）の順に撮影モードを切り替えることができる。絞り優先モードは、絞り値をユーザが手動で設定し、シャッタ速度を露出制御部１４６が自動的に決定するモードである。シャッタ優先モードは、シャッタ速度をユーザが手動で設定し、絞り値を露出制御部１４６が自動的に決定するモードである。プログラムモードは、シャッタ速度および絞り値を露出制御部１４６が自動的に決定するモードである。
【００４９】
図１０（ａ）は、マニュアルモードの場合におけるシャッタ速度オブジェクト３１０および絞り値オブジェクト３２０の表示態様を示しており、当該表示態様は、図９を用いて説明したとおりである。この状態でユーザが撮影モードダイヤル３４を時計回りに回転させると、撮影モードは、マニュアルモードから絞り優先モードへ切り替わる。図１０（ｂ）は、絞り優先モードの場合におけるシャッタ速度オブジェクト３１０および絞り値オブジェクト３２０の表示態様を示す。表示制御部１３９は、シャッタ速度オブジェクト３１０の形状を円形に変更する。一方、表示制御部１３９は、絞り値オブジェクト３２０の形状をそのままに表示態様を実線に変更する。この表示態様により、ユーザは、シャッタ速度がコマンドダイヤル３６によらず自動的に変更され、かつ絞り値がコマンドダイヤル３６の操作対象であることを把握できる。なお、絞り優先モードにおいて、表示制御部１３９は、露出制御部１４６が直近で演算したシャッタ速度の値を、シャッタ速度の現在の設定値として表示部３５に表示させる。
【００５０】
図１０（ｂ）の表示状態でユーザが撮影モードダイヤル３４を時計回りに回転させると、撮影モードは、絞り優先モードからシャッタ優先モードへ切り替わる。図１０（ｃ）は、シャッタ優先モードの場合におけるシャッタ速度オブジェクト３１０および絞り値オブジェクト３２０の表示態様を示す。表示制御部１３９は、シャッタ速度オブジェクト３１０の形状をダイヤル形状に変更する。一方、表示制御部１３９は、絞り値オブジェクト３２０の形状を円形に変更する。この表示態様により、ユーザは、シャッタ速度がコマンドダイヤル３６の操作対象であり、かつ絞り値がコマンドダイヤル３６によらず自動的に変更されることを把握できる。なお、シャッタ優先モードにおいて、表示制御部１３９は、露出制御部１４６が直近で演算した絞り値の値を、絞り値の現在の設定値として表示部３５に表示させる。
【００５１】
図１０（ｃ）の表示状態でユーザが撮影モードダイヤル３４を時計回りに回転させると、撮影モードは、シャッタ優先モードからプログラムモードへ切り替わる。図１０（ｄ）は、プログラムモードの場合におけるシャッタ速度オブジェクト３１０および絞り値オブジェクト３２０の表示態様を示す。表示制御部１３９は、シャッタ速度オブジェクト３１０の形状を円形に変更する。一方、表示制御部１３９は、絞り値オブジェクト３２０の表示態様を維持する。この表示態様により、ユーザは、シャッタ速度および絞り値がコマンドダイヤル３６によらず自動的に変更されることを把握できる。なお、プログラムモードにおいて、表示制御部１３９は、露出制御部１４６が直近で演算したシャッタ速度の値、絞り値の値を、それぞれシャッタ速度の現在の設定値、絞り値の現在の設定値として表示部３５に表示させる。
【００５２】
なお、ユーザが撮影モードダイヤル３４を反時計回りに回転させると、上述の順序とは逆に、プログラムモード（Ｐ）、シャッタ優先モード（Ｓ）、絞り優先モード（Ａ）、マニュアルモード（Ｍ）の順に撮影モードを切り替えることができる。表示制御部１３９は、当該順序での撮影モードの切り替えに応じて、図１０（ｄ）、図１０（ｃ）、図１０（ｂ）、図１０（ａ）の順に、シャッタ速度オブジェクト３１０および絞り値オブジェクト３２０の表示態様を変更する。このように撮影モードに応じてオブジェクトの表示態様を切り替えることにより、ユーザはオブジェクトの表示で撮影モードを把握できる。
【００５３】
本実施形態において、情報画面の表示態様は、図５で示した情報画面３００の表示態様に限らない。以下に情報画面の変形例について説明する。図１１は、第１の変形例に係る情報画面４００を説明する図である。図１１に示すとおり、表示制御部１３９は、シャッタ速度の設定値を示すシャッタ速度オブジェクト４１０、絞り値の設定値を示す絞り値オブジェクト４２０、ＩＳＯ感度の設定値を示すＩＳＯ感度オブジェクト４３０を情報画面４００に配置する。
【００５４】
シャッタ速度オブジェクト４１０は、上述のシャッタ速度オブジェクト３１０と異なり、横ゲージ４１１で構成される。横ゲージ４１１は、横方向の色付き部分の長さにより、シャッタ速度の初期変動範囲に対する現在の設定値を示す。また、横ゲージ４１１におけるシャッタ速度の下限値の位置に、下限値を示す下限値指標４１２が配置されている。横ゲージ４１１の上側には、シャッタ速度の現在の設定値が数値で表示されている。絞り値オブジェクト４２０は、現在の設定値の表示が外部に配置されていることを除き、絞り値オブジェクト３２０と同様の表示態様である。
【００５５】
ＩＳＯ感度オブジェクト４３０は、上述のＩＳＯ感度オブジェクト３３０と異なり、横ゲージ４３１で構成される。横ゲージ４３１は、横方向の色付き部分の長さにより、ＩＳＯ感度の初期変動範囲に対する現在の設定値を示す。また、横ゲージ４３１におけるＩＳＯ感度の上限値の位置に、上限値を示す上限値指標４３２が配置されている。横ゲージ４３１の下側には、ＩＳＯ感度の現在の設定値が数値で表示されている。
【００５６】
図１２は、第１の変形例に係る情報画面４００におけるシャッタ速度オブジェクト４１０の他の表示態様を説明する図である。表示制御部１３９は、図１２（ａ）に示すように、下限値指標４１２が下限値であることを示す矢印指標５０１を下限値指標４１２の近傍に配置してもよい。矢印指標５０１の矢印は、下限値指標４１２に対してシャッタ速度が設定される方向を示す。この矢印指標５０１により、ユーザは、シャッタ速度が下限値指標４１２より右側、すなわち高速側に設定されること、すなわち下限値指標４１２が下限値を示すことを容易に把握できる。
【００５７】
また、表示制御部１３９は、図１２（ｂ）に示すように、下限値により制限されたシャッタ速度の変動範囲である制限範囲を示す制限範囲指標５０２を横ゲージ４１１の近傍に配置してもよい。この制限範囲指標５０２により、ユーザは、シャッタ速度の設定可能範囲を容易に把握できる。なお、表示制御部１３９は、制限範囲指標５０２を配置する代わりに、横ゲージ４１１における制限範囲外の箇所の色、透過度等の表示態様を、制限範囲内の箇所の表示態様と異ならせてもよい。
【００５８】
また、表示制御部１３９は、下限値指標４１２がカーソル等でユーザに指定された場合に、シャッタ速度の下限値の数値を含む下限値オブジェクト５０３を、下限値指標４１２に関連付けて配置してもよい。この下限値オブジェクト５０３により、ユーザは、シャッタ速度の下限値の値を正確に把握できる。なお、表示制御部１３９は、下限値指標４１２がカーソル等でユーザに指定された場合に限らず、常に下限値オブジェクト５０３を配置してもよい。
【００５９】
なお、カメラシステム制御部１３０は、上述の矢印指標５０１、制限範囲指標５０２および下限値オブジェクト５０３を表示させるか否かのユーザの指示を設定画面等で受け付けてもよい。この場合、表示制御部１３９は、ユーザの指示に応じて、矢印指標５０１、制限範囲指標５０２および下限値オブジェクト５０３を配置する。この構成によれば、ユーザは、情報画面の詳細度を自身の好みにあわせて変更できる。なお、図１２を用いて説明した表示態様は、ＩＳＯ感度オブジェクト４３０に適用してもよい。
【００６０】
図１３は、第２の変形例に係る情報画面６００を説明する図である。図１３に示すとおり、表示制御部１３９は、シャッタ速度の設定値を示すシャッタ速度オブジェクト６１０、絞り値の設定値を示す絞り値オブジェクト６２０、ＩＳＯ感度の設定値を示すＩＳＯ感度オブジェクト６３０を情報画面６００に配置する。
【００６１】
シャッタ速度オブジェクト６１０は、上述のシャッタ速度オブジェクト３１０と異なり、円弧ゲージ６１１で構成される。円弧ゲージ６１１は、円弧方向の色付き部分の長さにより、シャッタ速度の初期変動範囲に対する現在の設定値を示す。また、円弧ゲージ６１１におけるシャッタ速度の下限値の位置に、下限値を示す下限値指標６１２が配置されている。円弧ゲージ６１１の上側には、シャッタ速度の現在の設定値が数値で表示されている。絞り値オブジェクト６２０は、現在の設定値の表示が外部に配置されていることを除き、絞り値オブジェクト３２０と同様の表示態様である。
【００６２】
ＩＳＯ感度オブジェクト６３０は、上述のＩＳＯ感度オブジェクト３３０と異なり、縦ゲージ６３１で構成される。縦ゲージ６３１は、縦方向の色付き部分の長さにより、ＩＳＯ感度の初期変動範囲に対する現在の設定値を示す。また、縦ゲージ６３１におけるＩＳＯ感度の上限値の位置に、上限値を示す上限値指標６３２が配置されている。縦ゲージ６３１の上側には、ＩＳＯ感度の現在の設定値が数値で表示されている。
【００６３】
図１４は、第３の変形例に係る情報画面７００を説明する図である。図１３に示すとおり、表示制御部１３９は、シャッタ速度の設定値を示すシャッタ速度オブジェクト７１０、絞り値の設定値を示す絞り値オブジェクト７２０、ＩＳＯ感度の設定値を示すＩＳＯ感度オブジェクト７３０を情報画面７００に配置する。
【００６４】
シャッタ速度オブジェクト７１０は、上述のシャッタ速度オブジェクト３１０と異なり、第１バー７１１および第２バー７１２で構成される。第１バー７１１および第２バー７１２は並列に配置されており、全長がシャッタ速度の初期変動範囲に対応する。第１バー７１１は、横方向の色付き部分の長さにより、シャッタ速度の初期変動範囲に対する現在の設定値を示す。また、第２バー７１２は、シャッタ速度の下限値を示す下限値指標７１３により、シャッタ速度の下限値を示す。具体的には、下限値指標７１３は、第２バー７１２におけるシャッタ速度の下限値の位置に配置されている。第１バー７１１の上側には、シャッタ速度の現在の設定値が数値で表示されている。絞り値オブジェクト７２０は、絞り値オブジェクト３２０と同様の表示態様である。
【００６５】
ＩＳＯ感度オブジェクト７３０は、上述のＩＳＯ感度オブジェクト３３０と異なり、第３バー７３１および第４バー７３２で構成される。第３バー７３１および第４バー７３２は並列に配置されており、全長がＩＳＯ感度の初期変動範囲に対応する。第３バー７３１は、横方向の色付き部分の長さにより、ＩＳＯ感度の初期変動範囲に対する現在の設定値を示す。また、第４バー７３２は、ＩＳＯ感度の上限値を示す上限値指標７３３により、ＩＳＯ感度の上限値を示す。具体的には、上限値指標７３３は、第４バー７３２におけるＩＳＯ感度の上限値の位置に配置されている。第３バー７３１の上側には、ＩＳＯ感度の現在の設定値が数値で表示されている。なお、図５、１１、１３、１４で示した複数の情報画面の表示態様のうちから希望する情報画面の表示態様をユーザがメニュー画面で選択できるようにしてもよい。
【００６６】
上述の実施形態では、コマンドダイヤル３６および機能ボタン４０を用いて制限値の変更処理を実行したが、これに限らない。シャッタ速度が下限値に達した後にユーザがコマンドダイヤル３６をさらに回転させると、カメラシステム制御部１３０は、シャッタ速度を下限値に維持せずに、シャッタ速度の設定値および下限値を変更するようにしてもよい。また、感度自動制御の設定画面において、情報画面でのシャッタ速度を変更するか否かを設定できるようにしてもよい。この場合において、シャッタ速度が下限値に達した後にユーザがコマンドダイヤル３６をさらに回転させると、カメラシステム制御部１３０は、情報画面でのシャッタ速度を変更する旨が設定されていればシャッタ速度の設定値および下限値を変更する。一方、カメラシステム制御部１３０は、情報画面でのシャッタ速度を変更しない旨が設定されていればシャッタ速度を下限値で維持する。
【００６７】
また、カメラ本体３０が表示部３５の表面にタッチパネルを操作部材として搭載している場合には、ユーザが情報画面のシャッタ速度の下限値指標をドラッグ操作で移動させると、カメラシステム制御部１３０は、下限値指標の移動先の位置に対する値をシャッタ速度の下限値に設定する。同様に、ユーザが情報画面のＩＳＯ感度の上限値指標をドラッグ操作で移動させると、カメラシステム制御部１３０は、上限値指標の移動先の位置に対する値をＩＳＯ感度の上限値に設定する。
【００６８】
上述の実施形態では、パラメータを変更するための操作部材の形状を模したオブジェクトが表示されたが、これに限らない。表示制御部１３９は、パラメータを変更するための操作部材の操作方向と同じ方向に移動可能なオブジェクトを表示部３５に表示させてもよい。例えば、表示制御部１３９は、パラメータを変更するための操作部材がコマンドダイヤル３６であり操作方向が回転方向である場合には、当該パラメータのオブジェクトとして回転可能な円形のオブジェクトを用いる。また、表示制御部１３９は、パラメータを変更するための操作部材が十字キー３７であり操作方向が左右方向である場合には、当該パラメータのオブジェクトとして左右方向に移動可能な横ゲージを用いてもよい。そして、表示制御部１３９は、操作部材の操作方向と同じ方向にオブジェクトを移動させてもよい。
【００６９】
上述の実施形態では、矢印指標５０１を用いて、制限値が上限値である場合と下限値である場合とで制限の表示態様を異ならせたが、これに限らない。表示制御部１３９は、色、パターン、透明度を上限値である場合と下限値である場合とで異ならせてもよい。また、制限範囲指標５０２を用いて、制限範囲の表示態様と制限範囲外の表示態様とを異ならせたが、これに限らない。表示制御部１３９は、制限範囲の色、パターン、透明度を制限範囲と制限範囲外とで異ならせてもよい。
【００７０】
上述の実施形態では、撮影処理に用いられるパラメータを制限する制限値として、シャッタ速度の下限値、ＩＳＯ感度の上限値が用いられたが、これに限らない。絞り値の上限または下限を制限する制限値を設定可能にしてもよい。この場合、表示制御部１３９は、絞り値オブジェクトの制限値に対応する開口領域の輪郭を、制限値を示す指標として表示部３５に表示させてもよい。また、露出制御部１４６が算出した適正露出値を補正する露出補正値の上限または下限を制限する制限値を設定可能にしてもよい。
【００７１】
上述の実施形態において、受付部としての役割を担う操作部材、カメラシステム制御部１３０および表示制御部１３９により表示制御装置が構成される。なお、表示制御装置は、カメラ１０とは別体の操作部材および制御部で構成されてもよい。
【００７２】
上述の実施形態において、撮像装置としてカメラ１０全体を例に説明したが、カメラ本体３０を撮像装置として捉えてもよい。また、上述の実施形態において、撮像装置としてレンズ交換式カメラを例に説明したが、これに限らない。レンズ光学系が一体的に構成されたコンパクトデジタルカメラ、ミラー機構がないミラーレスデジタルカメラ、ビデオカメラ、顕微鏡、望遠鏡などの撮像装置であっても同様に本実施形態に係る概念を適用することができる。
【００７３】
また、撮像装置以外のＰＣ、携帯電話、ゲーム機等の電子機器にも本実施形態の概念を適用することができる。例えば、ＰＣは、あるアプリケーションに対するＣＰＵの使用率を制限する制限値をユーザから受け付け、当該アプリケーションを実行中に当該アプリケーションに対するＣＰＵの現在の使用率および制限値をディスプレイに表示させてもよい。なお、表示制御装置は、電子機器に組み込まれても、電子機器と別体に構成されてもよい。
【００７４】
以上、本発明を実施の形態を用いて説明したが、本発明の技術的範囲は上記の実施形態に記載の範囲には限定されない。上記の実施形態に、多様な変更または改良を加えることが可能であることが当業者に明らかである。その様な変更または改良を加えた形態も本発明の技術的範囲に含まれ得ることが、特許請求の範囲の記載から明らかである。
【００７５】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００７６】
１０  カメラ、１１  光軸、２０  交換レンズ、３０  カメラ本体、３１  レリーズボタン、３２  絞りボタン、３３  情報表示ボタン、３４  撮影モードダイヤル、３５  表示部、３６  コマンドダイヤル、３７  十字キー、３８  決定ボタン、３９  メニューボタン、４０  機能ボタン、１２０  レンズシステム制御部、１２１  ズームレンズ、１２２  フォーカスレンズ、１２３  絞り、１２４  レンズ駆動回路、１２５  絞り駆動回路、１２６  レンズマウント接点、１３０  カメラシステム制御部、１３１  カメラマウント接点、１３２  システムメモリ、１３３  撮像素子、１３４  シャッタ、１３５  Ａ／Ｄ変換器、１３６  画像処理部、１３７  メモリ制御部、１３８  内部メモリ、１３９  表示制御部、１４０  外部機器ＩＦ、１４１  記録部、１４２  電源制御部、１４３  電源、１４４  操作検出部、１４５  測光センサ、１４６  露出制御部、２００  カーソル、３００  情報画面、３０１  撮影モード表示、３１０  シャッタ速度オブジェクト、３１１  外部領域、３１２  内部領域、３１３  設定値指標、３１４  下限値指標、３２０  絞り値オブジェクト、３２１  絞り羽根領域、３２２  開口領域、３３０  ＩＳＯ感度オブジェクト、３３１  外部領域、３３２  内部領域、３３３  設定値指標、３３４  上限値指標、４００  情報画面、４１０  シャッタ速度オブジェクト、４１１  横ゲージ、４１２  下限値指標、４２０  絞り値オブジェクト、４３０  ＩＳＯ感度オブジェクト、４３１  横ゲージ、４３２  上限値指標、５０１  矢印指標、５０２  制限範囲指標、５０３  下限値オブジェクト、６００  情報画面、６１０  シャッタ速度オブジェクト、６１１  円弧ゲージ、６１２  下限値指標、６２０  絞り値オブジェクト、６３０  ＩＳＯ感度オブジェクト、６３１  縦ゲージ、６３２  上限値指標、７００  情報画面、７１０  シャッタ速度オブジェクト、７１１  第１バー、７１２  第２バー、７１３  下限値指標、７２０  絞り値オブジェクト、７３０  ＩＳＯ感度オブジェクト、７３１  第３バー、７３２  第４バー、７３３  上限値指標
【図１】
2013115514.tif 000003
【図２】
2013115514.tif 000004
【図３】
2013115514.tif 000005
【図４】
2013115514.tif 000006
【図５】
2013115514.tif 000007
【図６】
2013115514.tif 000008
【図７】
2013115514.tif 000009
【図８】
2013115514.tif 000010
【図９】
2013115514.tif 000011
【図１０】
2013115514.tif 000012
【図１１】
2013115514.tif 000013
【図１２】
2013115514.tif 000014
【図１３】
2013115514.tif 000015
【図１４】
2013115514.tif 000016